(57)【要約】【課題】毛髪処理中に毛髪に空気を送風したり、マイナスイオンまたは水分を供給することによって、毛髪の損傷を減少させ、毛髪処理を容易にできるヘアーアイロンを提供する。【解決手段】本発明によるヘアーアイロンは、一端がヒンジ結合されて開閉可能な一対のケースと;前記一対のケースの他端付近で相互に対向する面に設けられ、熱を発生させるためのヒータプレートと;前記一対のケースのうちいずれか一つの一端付近に結合し、前記ヒータプレート側に空気を送風するためのファン組立体と;前記ヒータプレートと前記ケース間に設けられて前記ヒータプレートを支持して多数の空気排出孔が形成された支持部材と;前記ファン組立体から送風された空気を前記空気排出孔側に移送するための空気通路を備えることを特徴とする。【選択図】図1
2006130314.tif 000002
【特許請求の範囲】
【請求項１】
一端がヒンジ結合されて開閉可能な一対のケースと;
前記一対のケースの他端付近で相互対向する面に設けられ、熱を発生させるためのヒータプレートと;
前記一対のケースのうちいずれかの一端付近に結合し、前記ヒータプレート側に空気を送風するためのファン組立体と;
前記ヒータプレートと前記ケースとの間に設けられて前記ヒータプレートを支持して多数の空気排出孔が形成された支持部材と;
前記ファン組立体から送風された空気を前記空気排出孔側に移送するための空気通路とを備えることを特徴とするヘアーアイロン。
【請求項２】
前記ファン組立体は外部空気が流入する吸気口と前記空気通路と連通する排気口が形成されたハウジングと、前記ハウジング内に回転可能に設けられるファンとを備えることを特徴とする請求項1に記載のヘアーアイロン。
【請求項３】
前記空気通路は前記ケースの長手方向の両側縁部に沿って形成された溝であることを特徴とする請求項1に記載のヘアーアイロン。
【請求項４】
前記ケースの両側縁部のうち少なくともいずれか一側に設けられて前記空気通路を開閉するための空気通路開閉手段をさらに備えることを特徴とする請求項3に記載のヘアーアイロン。
【請求項５】
前記空気通路開閉手段が前記空気通路を閉塞することができる閉塞板と前記閉塞板を回転させるためのレバーとを備えることを特徴とする請求項4に記載のヘアーアイロン。
【請求項６】
前記支持部材の多数の空気排出孔を通じて噴出される空気の量を調節するために前記支持部材上に結合及び除去可能な風量調節手段をさらに備えることを特徴とする請求項1に記載のヘアーアイロン。
【請求項７】
前記風量調節手段は前記支持部材の多数の空気排出孔を塞ぐバーを含むことを特徴とする請求項6に記載のヘアーアイロン。
【請求項８】
前記バーには前記支持部材の空気排出孔と連通する多数の空気排出口が形成されることを特徴とする請求項7に記載のヘアーアイロン。
【請求項９】
前記バーが櫛歯を有することを特徴とする請求項7に記載のヘアーアイロン。
【請求項１０】
送風される空気にマイナスイオンを付加するためのマイナスイオン発生器をさらに備えることを特徴とする請求項1に記載のヘアーアイロン。
【請求項１１】
前記ヒータプレートは互いに向かい合う面全体にかけて接触し、前記ヒータプレートの接触面が前記ヒータプレートの幅方向に対して傾斜したことを特徴とする請求項1に記載のヘアーアイロン。
【請求項１２】
毛髪に水分を提供するための水分提供手段と前記水分提供手段に水を供給するための給水手段とをさらに備えることを特徴とする請求項1に記載のヘアーアイロン。
【請求項１３】
前記水分提供手段が前記支持部材と前記ヒータプレートとの間に配置されたスチーム発生板と前記スチーム発生板の一側に前記空気通路と連通するように形成されたスチーム排出孔とを備えることを特徴とする請求項12に記載のヘアーアイロン。
【請求項１４】
前記給水手段が内部に貯蔵された水が排出されるノズルと貯蔵された水を排出させるために貯蔵された水に圧力を加えるための加圧部材とを有する水収容容器を備えることを特徴とする請求項12に記載のヘアーアイロン。
【請求項１５】
前記加圧部材がシリコンからなったことを特徴とする請求項14に記載のヘアーアイロン。
【請求項１６】
前記ケースの外側表面に前記水収容容器を収納するための溝部が形成され、
前記溝部に前記ノズルが嵌められる連結口と、前記ノズルと連結口を封止するための封止部材と、前記加圧部材を加圧するための押圧段とが形成され、
前記水収容容器が前記溝部に収納された状態で、前記水収容容器を前記ケース側に押すと前記押圧段が前記加圧部材を押して前記水収容容器内部の水が排出されることを特徴とする請求項14に記載のヘアーアイロン。
【請求項１７】
前記封止部材がシリコンからなったことを特徴とする請求項16に記載のヘアーアイロン。
【請求項１８】
前記ケースの一側に電力供給のための少なくとも一つのバッテリを収容したバッテリホルダが設けられることを特徴とする請求項1に記載のヘアーアイロン。
【請求項１９】
前記バッテリが充電池であり、前記充電池を充電させるために外部電源と連結されることができる連結ジャックが前記ケースに備えられたことを特徴とする請求項18に記載のヘアーアイロン。
【発明の詳細な説明】
【技術分野】
【０００１】
本発明はヘアーアイロンに関するもので、より詳細には、毛髪処理中に毛髪に空気を送風したり、マイナスイオンまたは水分を供給することによって、毛髪の損傷を減少させて毛髪を健康にし、毛髪処理を容易にできるヘアーアイロンに関するものである。また、本発明はこのような機能を持つだけでなく、無線で構成され、携帯可能であり、使用に空間的制約がないヘアーアイロンに関するものである。
【背景技術】
【０００２】
一般に、ヘアーアイロンは電気エネルギを60℃乃至210℃の熱エネルギに変換し、変換された熱を毛髪に加えて毛髪をウェーブまたはカールするために使われる美容機具である。このようなヘアーアイロンは大旨一端で一定角度に開閉可能なように結合した一対のケースと、これらの互いに向かい合っている内側に毛髪に熱を加えるためのヒータ部とを備える。
【０００３】
大韓民国登録実用新案公報第20-0270330号(2002.03.19.登録公告)に開示された「パーマ用アイロン」はヘアーアイロンの一例で、パーマ用アイロンを用いてパーマをする時、パーマロットに毛髪を巻いてパーマ用アイロンで発生する熱を同時に均等に加えることができるようにすることで毛髪に損傷を与えずに短時間内に速やかにパーマをすることができるように構成されたものである。
【０００４】
また、大韓民国登録実用新案公報第20-0304059号(2003.01.30.登録公告)に開示された「ヘアーアイロン」はヘアーアイロンの他の一例で、ケース継ぎ目が外部にあまり露出されずに美麗さがひときわ図れるようにし、組立性と製品信頼性が向上するように改善されたものである。
【０００５】
また、大韓民国登録実用新案公報第20-0338792号(2004.01.06.登録公告)に開示された「櫛歯が形成されるヘアーアイロン」はヘアーアイロンの他の一例で、平板形態の放熱板を有するヘアーアイロンにおいて、交互になされる髪を解く作業及びアイロン作業が一体に同時になされるようにすることで、使用に非常に便利なだけでなく、熱損失が少なくて、毛髪間の温度伝達を通じて毛髪のツヤと弾力を増大させることができるようにしたものである。
【０００６】
また、大韓民国登録実用新案公報第20-0341775号(2004.02.03.登録公告)に開示された「振動する熱板を有するヘアー用アイロン機」はヘアーアイロンの他の一例で、熱板の振動により毛髪が加圧されるようにすることによって毛髪の損傷を防止し、毛髪の手入れをする時、ユーザーの身体的な酷使を防止することができるようにしたものである。
【０００７】
また、大韓民国登録実用新案公報第20-0346007号(2004.03.15.登録公告)に開示された「ヘアーアイロン」はヘアーアイロンの他の一例で、両側に向かい合って広げる間隔が調節される一対のプレートと、前記プレートに結合して広げる間隔を調節するための取っ手と、前記プレートの電源供給を開閉するための前記取っ手に設けられるスイッチを備えてなり、前記一対のプレートの後面には電源の供給を受けて熱を発生して毛髪にその熱を直接的に伝達するために炭素成分を含む熱線が印刷され、前記熱線の後面には断熱及び耐熱のための断熱材が備えられたことを特徴とする。
【０００８】
前記のような従来のヘアーアイロンはヘアーアイロン自体に審美感を与えて構成したり、特定スタイルの毛髪の手入れに有利な構造を有しており、多様なスタイルの毛髪を処理するのには非効率的である。
【０００９】
また、熱によってのみ毛髪を処理するので、毛髪処理時間を短縮するのに限界があり、毛髪が長時間熱に露出されて熱により損傷する問題点がある。
【００１０】
また、ヘアーアイロンを使用するユーザーはヘアーアイロンを駆動するための電源が備えられた場所で毛髪処理をしなければならないので、毛髪処理を行う場所に拘束を受けるという問題点がある。
【発明の開示】
【発明が解決しようとする課題】
【００１１】
本発明はこのような従来技術の問題点を解決するためのもので、本発明の目的は、毛髪に熱を加えて毛髪を所望の形態に処理する途中、毛髪と頭皮に空気、マイナスイオンまたはスチームなどを選択的に供給することによって、毛髪処理時間を短縮して毛髪の損傷を防止し、併せて毛髪を健康にして毛髪処理を容易にできるヘアーアイロンを提供することである。
【００１２】
また、本発明のもう一つの目的は前記のような機能を持つだけでなく、無線で構成されて携帯可能で使用に空間的制約がないヘアーアイロンを提供することである。
【課題を解決するための手段】
【００１３】
前記目的を達成するための本発明によるヘアーアイロンは、一端がヒンジ結合されて開閉可能な一対のケースと;前記一対のケースの他端付近で相互対向する面に設けられ、熱を発生させるためのヒータプレートと;前記一対のケースのうちいずれか一つの一端付近に結合し、前記ヒータプレート側に空気を送風するためのファン組立体と;前記ヒータプレートと前記ケースとの間に設けられて前記ヒータプレートを支持して多数の空気排出孔が形成された支持部材と;前記ファン組立体から送風された空気を前記空気排出孔側に移送するための空気通路とを備えることを特徴とする。
【００１４】
ここで、前記ファン組立体は外部空気が流入する吸気口と前記空気通路と連通する排気口が形成されたハウジングと、前記ハウジング内に回転可能に設けられるファンを備えることが望ましい。
【００１５】
また、前記空気通路は前記ケースの長手方向両側の縁部に沿って形成された溝であることが望ましい。
【００１６】
この場合、前記ケースの両側縁部のうち少なくともいずれか一側に設けられ、前記空気通路を開閉するための空気通路開閉手段をさらに備えることが望ましい。
【００１７】
さらに、前記空気通路開閉手段は前記空気通路を閉塞することができる閉塞板と前記閉塞板を回転させるためのレバーを備えることが望ましい。
【００１８】
また、前記ヘアーアイロンは前記支持部材の多数の空気排出孔を通じて噴出される空気の量を調節するために前記支持部材上に結合及び除去可能な風量調節手段をさらに備えることが望ましい。
【００１９】
ここで、前記風量調節手段は前記支持部材の多数の空気排出孔を塞ぐバーを含むことが望ましい。
【００２０】
この場合、前記バーには前記支持部材の空気排出孔と連通する多数の空気排出口が形成されることが望ましく、前記バーが櫛歯を有することが望ましい。
【００２１】
また、前記ヘアーアイロンは送風される空気にマイナスイオンを付加するためのマイナスイオン発生器をさらに備えることが望ましい。
【００２２】
また、前記ヒータプレートは互いに向かい合う面全体にかけて接触し、前記ヒータプレートの接触面が前記ヒータプレートの幅方向に対して傾斜することが望ましい。
【００２３】
また、前記ヘアーアイロンは毛髪に水分を提供するための水分提供手段と前記水分提供手段に水を供給するための給水手段をさらに備えることが望ましい。
【００２４】
ここで、前記水分提供手段は前記支持部材と前記ヒータプレート間に配置されたスチーム発生板と前記スチーム発生板の一側に前記空気通路と連通するように形成されたスチーム排出孔を備えることが望ましい。
【００２５】
また、前記給水手段は内部に貯蔵された水が排出されるノズルと貯蔵された水を排出させるために貯蔵された水に圧力を加えるための加圧部材を有する水収容容器を備えることが望ましい。
【００２６】
この場合、前記加圧部材はシリコンからなることが望ましい。
【００２７】
また、前記ケースの外側表面に前記水収容容器を収納するための溝部が形成され、前記溝部に前記ノズルが嵌められる連結口と前記ノズルと連結口を封止するための封止部材と前記加圧部材を加圧するための押圧段が形成され、前記水収容容器が前記溝部に収納された状態で、前記水収容容器を前記ケース側に押すと前記押圧段が前記加圧部材を押して前記水収容容器内部の水が排出されることが望ましい。
【００２８】
この場合、前記封止部材はシリコンからなることが望ましい。
【００２９】
また、前記ヘアーアイロンは前記ケースの一側に電力供給のための少なくとも一つのバッテリを収容したバッテリホルダが設けられることが望ましい。
【００３０】
この場合、前記バッテリは充電池であり、前記充電池を充電させるために外部電源と連結されることができる連結ジャックが前記ケースに備えられたことが望ましい。
【発明の効果】
【００３１】
本発明によるヘアーアイロンによれば、毛髪処理途中に処理される毛髪に空気、マイナスイオンまたはスチームを供給することができる。
【００３２】
毛髪に空気を送風させる場合、毛髪乾燥のためにヘアーアイロンを用いる時、毛髪乾燥時間を短縮させることができ、毛髪を所望のスタイルに処理する時、毛髪が過熱されて損傷する問題を、毛髪に空気を送風して冷却させることによって解決することができる。
【００３３】
また、マイナスイオン発生器により発生したマイナスイオンが送風される空気に混入されて毛髪に供給されるので、損傷した毛髪を回復させることができ、併せて毛髪に保湿効果を与えることができるので毛髪の健康面で有利である。
【００３４】
また、ユーザーの必要に応じて毛髪処理途中に毛髪に水分を提供することができるので、毛髪を所望のスタイルに処理する過程がより容易かつ迅速になる。併せて、毛髪に提供される水分は毛髪に保湿効果を与え、毛髪をより健康に維持することができる。
【００３５】
また、ヘアーアイロンに櫛歯を有する部材が備えられるので、毛髪を所望のスタイルに処理する時、毛髪処理の造形性が向上する。
【００３６】
また、前記のような機能を持つヘアーアイロンにバッテリを有するバッテリホルダを具備させ、このバッテリによりヘアーアイロンを作動させることによって、ヘアーアイロンは空間的な制約なしに携帯可能になる。
【００３７】
特に、バッテリとして充電池を用いる場合、乾電池の放電により乾電池を交換する必要がなくなり、ヘアーアイロンの携帯性がより増大する。
【発明を実施するための最良の形態】
【００３８】
以下では、添付された図面を参照し、本発明によるヘアーアイロンについて詳細に説明する。本願で、「前方」と「後方」という指示語は、それぞれ軸から遠くなる方向と軸に向かう方向を意味し、「内」及び「外」という指示語はそれぞれヘアーアイロンの内部に向かう方向と外部に向かう方向を意味する。
【００３９】
第1の実施の形態．
図1は本発明の望ましい第1の実施の形態によるヘアーアイロン(100)を示した斜視図で、図2及び図3はヘアーアイロン(100)の分解斜視図である。
【００４０】
図1乃至図3を参照すれば、本発明の第1の実施の形態によるヘアーアイロン(100)は、一端がヒンジ結合されて開閉可能な一対のケース(110,120)と、一対のケースの他端付近で相互対向する面に設けられたヒータプレート(111,121)と、一対のケースのうちいずれか一つ(120)の一端付近に結合し、ヒータプレート(121)側に空気を送風するためのファン組立体(130)と、ヒータプレート(111)とケース(110)間に設けられ、ヒータプレート(111)を支持するための支持部材(112)及びヒータプレート(121)とケース(120)間に設けられてヒータプレート(121)を支持して多数の空気排出孔(122b)が形成された支持部材(122)と、ファン組立体(130)から送風された空気を空気排出孔(122b)側に移送するための空気通路(127a, 127b)を備える。（空気通路127aは図5参照）。
【００４１】
上側ケース(110)は、その内部に下側ケース(120)に向かって開放された収納空間を有し、この収納空間に上側ヒータプレート(111)、上側支持部材(112)、上側カバー部材(113)、印刷回路基板(114)などが装着される。また、図1に示された通り、上側ケース(110)にはヘアーアイロン(100)を操作するためのスイッチ部(116)と、ヘアーアイロン(100)の作動状態を表示するためのLCDのようなディスプレイ部(117)と、外部電源との接続のための電線コードなどが連結されることができるコネクタ(119)が提供される。
【００４２】
上側ケース(110)の他端の収納空間に毛髪処理時に毛髪と接触して毛髪に熱を加える上側ヒータプレート(111)が配置される。また、これに対応するように、下側ヒータプレート(121)が下側ケース(120)の他端の収納空間に配置される。これらヒータプレート(111,121)は電源から電力の供給を受けて熱を発生させるヒータを備える。この場合、備えられたヒータは板形、コイル型などでもよい。
【００４３】
上側ヒータプレート(111)を上側ケース(110)に固定するために上側支持部材(112)が上側ケース(110)の内側と上側ヒータプレート(111)間に配置される。上側支持部材(112)は上側ケース(110)に基づいて上側ヒータプレート(111)を一定の高さに露出されるように支持する機能と上側ヒータプレート(111)から発生した熱が上側ケース(110)に最大限に伝達されないようにする断熱機能を有する。
【００４４】
上側ケース(110)の一端と上側支持部材(112)との間で上側カバー部材(113)が上側ケース(110)に結合する。上側カバー部材(113)は上側支持部材(112)により覆われていない上側ケース(110)の内側を覆い、ヘアーアイロン(100)が開放された時に上側ケース(110)の内側が見えないようにし、内側に置かれた各構成要素を保護する。
【００４５】
上側カバー部材(113)と上側ケース(110)との間にヘアーアイロン(100)の作動を制御するための各種の素子が実装された印刷回路基板(printed circuit board;PCB)(114)が設けられる。PCB(114)はコネクタ(119)を通じて外部電源と接続されている。PCB(114)はヒータプレート(111,121)に供給される電力を調節してヘアーアイロン(100)の作動状態を表示するための回路と、以下で説明されるファン(134)とマイナスイオン発生器(135)などに供給される電力を調節してその作動状態を表示する回路とを備える。
【００４６】
上側ケース(110)の一端には下側ケース(120)との結合のために板状の2つのヒンジ部(115)が下側ケース(120)側に延びている。ヒンジ部(115)には軸(118)の本体(118a)が嵌められる貫通孔(115a)が同一の高さに形成されており、貫通孔(115a)周辺にヒンジキャップ(126)のフック(126a)がかかる2つの結合孔(115b)が形成されている。ヒンジ部(115)は上側ケース(110)の外側表面より内側に位置する。従って、下側ケース(120)が結合されても、ヘアーアイロン(100)の側面が大きく突出しない。
【００４７】
上側ケース(110)と一対をなし、軸(118)を中心に開閉可能に連結される下側ケース(120)は、図示された通り、上側ケース(110)に向かって開放された収納空間を有する。この収納空間内に下側ヒータプレート(121)、下側支持部材(122)及び下側カバー部材(123)が装着されて送風された空気が通過する空気通路(127a, 127b)が形成される。
【００４８】
下側ケース(120)の一端には上側ケース(110)に向かって延びたヒンジ部(125)が形成されており、このヒンジ部(125)には軸(118)の支持突起(118b)が嵌められる貫通孔(125a)と、その周辺にヒンジキャップ(126)のフック(126a)が通過する2つの貫通孔(125b)が形成されている。また、後述するファン組立体(130)の第2ハウジング(132)の上側にヒンジ部(125)に対応するヒンジ部(125')が形成されており、ヒンジ部(125')には貫通孔(125a, 125b)にそれぞれ対応する貫通孔(125a'、125b')が形成されている。ヒンジ部(125,125')が上側ケースのヒンジ部(115)と対応し、上下のケース(110,120)は軸(118)を中心に開閉可能に連結される。
【００４９】
詳細には、上側ケースのヒンジ部(115)の貫通孔(115a)に軸本体(118a)が嵌められた状態で、支持突起(118b)と下側ケースのヒンジ部(125)の結合孔(125a)及びヒンジ部(125')の結合孔(125a')が嵌められ、上側ケース(110)と下側ケース(120)は軸(118)を中心に開閉可能に連結される。この場合、軸本体(118a)は貫通孔(115a)に挿入可能な程度の直径を有し、支持突起(118b)は貫通孔(125a, 125a')に挿入可能な程度の直径を有する。その後、ヒンジキャップ(126)が貫通孔(125b)と結合孔(115b)により結合する。
【００５０】
また、ヒンジ部(125,125')にはその中央に溝部(125c, 125c')が形成されている。上下のケース(110,120)が結合した後、溝部(125c, 125c')には貫通孔(125a, 125a')を通じて支持突起(118b)の一部が露出されることができる。この場合、支持突起(118b)には軸(118)の固定を確実にするようにE状スナップリングのような締結手段が嵌められることができる溝(図示せず)が形成されることができ、溝部(125c, 125c')上で締結がなされることができる。
【００５１】
上側ケース(110)と同様に、下側ケース(120)の他端の収納空間に下側ヒータプレート(121)が配置され、このヒータプレート(121)を下側ケース(120)に固定するための下側支持部材(122)が下側ケース(120)に結合されている。また、上側カバー部材(113)と類似して、下側支持部材(122)により隠されない下側ケース(120)の内側を覆って隠されるように下側カバー部材(123)が下側ケース(120)の一端と下側支持部材(122)間で下側ケース(120)に結合している。
【００５２】
ここで、本実施の形態では上下のカバー部材(113,123)が別個に備えられてそれぞれのケース(110,120)に結合するように構成されているが、カバー部材はケース(110,120)に一体に備えられることもでき、この場合、空気通路も、これに合せて形成されることができる。
【００５３】
前記のような構成によれば、外部から供給された電力はPCB(113)を経てヒータプレート(111,121)に内蔵されたヒータに供給され、このヒータで毛髪処理のための熱が発生する。従って、ユーザーは上下のケース(110,120)を広げて上側及び下側ケース(110,120)の他端に提供されたヒータプレート(111,121)間に毛髪を位置させた後、広げたケース(110,120)を閉じて、ヘアーアイロン(100)を回転させたり、抜き取る動作を実行して毛髪に所望のウェーブまたはカールを形成させる毛髪処理を行うことができる。
【００５４】
一方、ユーザーが毛髪を処理するにおいて、毛髪の所定形態を固着させたり、毛髪を乾燥させる必要がある。この場合、ヒータプレート(111,121)を通じて発生した熱だけで毛髪を処理すると、毛髪処理時間がかなりかかるようになり、併せて毛髪に過度に熱を加えるようになって毛髪が損傷することもある。従って、毛髪乾燥時間を短縮させたり過度に加熱され得る毛髪を冷却させるために処理中の毛髪に空気を送風させると、このような問題点が回避できる。このため、本発明の第1の実施の形態によるヘアーアイロン(100)は下側ケース(120)の一端付近に配置されてヒータプレート(111,121)側に空気を送風させるファン組立体(130)を備える。
【００５５】
図4はファン組立体(130)の分解斜視図である。ファン組立体(130)は互いに結合して外観を形成する第1ハウジング(131)及び第2ハウジング(132)と、これらの間の空間(133a)に回転可能に設けられて空気を送風させるファン(134)を備える。
【００５６】
第1ハウジング(131)は下側ケース(120)の一端で延びている。第1ハウジング(131)に第2ハウジング(132)が結合し、ファン組立体(130)の外観を形成し、これらハウジング(131,132)間にファン(134)が配置されて送風を実行する。一方、本実施の形態でのファン組立体(130)は下側ケース(120)の一端付近に一体に構成されているが、ファン組立体を別個の部品として構成した後、上側ケース(110)または下側ケース(120)に結合させることもできることが理解される。また、ファン組立体(130)は、上側ケース(110)の一端に配置されることもでき、この場合、空気送風と関連した各構成要素の位置が変わることができることが理解される。
【００５７】
ファン(134)は電気モータのような駆動手段(図示せず)により駆動されて吸気口(132a)を通じて空気を吸い込んだ後、ファン組立体(130)の外部に排気させてヒータプレート(121)側に空気を送風させる。図4において、ファン(134)は時計回りに回転して空気を送風させ、ファン(134)により強制された空気はファン組立体(130)の排気口(136b)を通じてファン組立体(130)の外部に排気される。
【００５８】
図4では、排気口(136b)が第2ハウジング(132)側にのみあるように示されているが、第1ハウジング(131)側にも排気口(136a)が設けられている(図5参照)。排気口(136b)は第2ハウジング(132)に設けられた排気口底(132b)及び噴気板(132c)と下側カバー部材(123)の後方に設けられた排気口蓋(123c)により限定されることができる（図２、図３参照）。第1ハウジング(131)側に形成された排気口(136a)も排気口(136b)と同一な方式に形成される。従って、ファン組立体(130)から排気された空気は下側ケース(120)の両側に噴気して送風されることが理解される。排気口(136a, 136b)を抜け出した空気は後述される空気通路(127a, 127b)を経てヒータプレート(121)側に送風される。
【００５９】
一方、毛髪処理過程は毛髪に高温の熱を加えて毛髪を所定形状に変形させる過程なので、この過程で毛髪は熱による損傷を被ることがある。損傷した毛髪を回復させて毛髪の保湿性を向上させ、毛髪のパサつきを防止するために、本発明の望ましい第1の実施の形態によるヘアーアイロン(100)はマイナスイオン発生器(135)をさらに備える。
【００６０】
本実施の形態でのマイナスイオン発生器(135)はファン(134)に隣接するように位置し、ファン組立体(130)内の隔離された空間(133b)（図２参照）に配置される。また、マイナスイオン発生器(135)から延びたマイナスイオン発生部(135a)は排気口(136a, 136b)付近に配置されている。従って、発生したマイナスイオンは排気口(136a, 136b)に向かう空気内に混入され、空気と共にヒータプレート(121)側に運搬されて毛髪や頭皮に到達する。
【００６１】
ファン組立体(130)の排気口(136a, 136b)を通じて排出された空気は空気通路(127a, 127b)に沿って進行した後、下側支持部材(122)に形成された空気排出孔(122b)を通じて毛髪に送風される。図5乃至図7にファン(134)により強制された空気が通過する空気通路(127a, 127b)が詳細に示されている。本実施の形態での空気通路(127a, 127b)は下側ケース(120)の両側縁部に沿って連続して形成された溝の形態で備えられている。詳細には、下側ケース(120)の内壁と下側カバー部材(123)に外壁により空気通路の一部分が形成され、続いて下側ケース(120)の内壁と下側支持部材(122)の外壁によりその残りの部分が形成される。
【００６２】
下側ケース(120)の内壁と下側カバー部材(123)の外壁により形成される空気通路(127a, 127b)の一部が図6に示されている。図6を参照すると、下側ケース(120)の内壁(120a)上方部分には段差部(120b)が形成されている。段差部(120b)は下側ケース(120)の両側縁部に沿って、下側カバー部材(123)が下側ケース(120)を覆う領域に形成される。また、段差部(120b)に対応するように、下側カバー部材(123)の下側ケース(120)の内側に向かう表面上に隔壁(123a)が内壁(120a)と接するように下側カバー部材(123)の両側縁部に沿って形成されている。従って、図6に示された通り、下側ケース(120)の内壁(120a)の一部である段差部(120b)と下側カバー部材(123)の縁部と下側カバー部材の隔壁(123a)により限定される空気通路(127a, 127b)の一部が形成される。
【００６３】
下側ケース(120)の内壁と下側支持部材(122)の外壁により形成される残りの部分の空気通路(127a, 127b)が図7に示されている。下側ケース(120)の他端に結合する下側支持部材(122)の両側縁部には縁部に沿って、水平に延びた延長部(122a)がそれぞれ提供されている。また、下側支持部材(122)により覆われる下側ケース(120)の内壁には前記段差部(120b)に対応して下側支持部材(122)の下側部分と結合して空気通路(127a, 127b)を限定する隆起部(120c)が段差部(120b)に続いて両側縁部に沿って形成されている。従って、図7に示された通り、隆起部(120c)が備えられる下側ケース(120)の内壁(120a)と下側支持部材(122)の延長部(122a)と下側支持部材(122)の外壁一部が空気通路(127a, 127b)の残りの部分を形成する。
【００６４】
このように形成された空気通路(127a, 127b)を通過した空気は下側支持部材(122)の延長部(122a)に形成された空気排出孔(122b)を通じて毛髪に向かって供給される。
【００６５】
一方、空気通路の変形例として、空気通路はファン組立体(130)の排気口(136a, 136b)と下側支持部材の空気排出孔(122b)を互いに連結させるパイプから構成されることもある。
【００６６】
また、本発明の第1の実施の形態によるヘアーアイロン(100)は空気通路(127a, 127b)の開閉及び風量を調節するための空気通路開閉手段(124)をさらに備える（図8a,図8b参照、後述）。従って、ユーザーは空気通路開閉手段(124)を操作し、いずれか一つの空気通路のみを用いたり、空気通路を通過する空気の量を調節することができる。
【００６７】
図8a及び図8bは空気通路(127b)に隣接するように提供された空気通路開閉手段(124)を示す。
【００６８】
図8a及び図8bを参照すると、空気通路開閉手段(124)は空気通路(127b)を開閉することができる閉塞板(124a)と、閉塞板(124a)を回転させるレバー(124b)と、これらを互いに連結させる連結軸(124c)とを備える。レバー(124b)が回転することによって閉塞板(124a)が回転する。閉塞板(124a)は空気通路(127b)を閉鎖させる位置と空気通路(127b)を完全に開放させる位置間で回転可能である。従って、閉塞板(124a)が空気通路(127b)を閉鎖すると、空気は空気通路(127a)のみを通じてヒータプレート(121)側に供給される。また、閉塞板(124a)がある程度開放されていれば、空気通路(127b)を通過する空気の量は空気通路(127a)を通過する空気の量より小さくなる。
【００６９】
また、図8a及び図8bでは下側カバー部材(123)の一側に空気通路開閉手段(124)が提供されたことを例として説明しているが、本発明はこれに限定されるものではなく、下側カバー部材(123)の両側空気通路に空気通路開閉手段(124)が設けられることもできることが理解される。従って、空気通路開閉手段(124)を両側の空気通路(127a, 127b)に設ける場合、ユーザーは空気通路(127a, 127b)のうちいずれか一つを選択して空気が送風されるようにすることが理解される。
【００７０】
一方、空気通路開閉手段(124)による機械的な風量調節とは異なり、電気的制御を通じて風量を調節することもできる。即ち、PCB(114)などにファン組立体(130)に備えられたファン(134)の回転速度を制御する機能を追加し、スイッチを通じてユーザーが選択するようにすることで、ファン(134)の回転速度を異にして風量を調節することもできる。
【００７１】
このようにして、ユーザーが毛髪を所定形態に処理するためにヘアーアイロン(100)を使用する途中、ヒータプレート(111,121)間に位置した毛髪に空気が供給される。下側支持部材の空気排出孔(122b)を通じて噴出された空気は下側支持部材(122)の直上に位置した下側ヒータプレート(121)を過ぎてヒータプレート(111,121)間に挟まった毛髪に供給される。従って、このように噴出された空気により、毛髪を乾燥させるためにヘアーアイロン(100)を使用する場合、乾燥時間が短縮でき、毛髪を所定形態に処理する場合、処理時間が短縮できる。さらに、毛髪に供給される空気にはマイナスイオン発生器(135)により発生したマイナスイオンが含まれているので、毛髪の健康と保湿においても有利である。
【００７２】
一方、毛髪を所定形態に処理するにおいて、毛髪に水分を加えると毛髪処理がより容易になるだけでなく、毛髪に保湿効果を与えることもできる。このため、本発明の望ましい第1の実施の形態によるヘアーアイロン(100)は毛髪に気相の水分を提供するための水分提供手段と水分提供手段に水を供給するための給水手段をさらに備える。
【００７３】
図2及び図3を再び参照すると、水分提供手段は下側ヒータプレート(121)と下側支持部材(122)間に配置された第1及び第2スチーム発生板(141,142)と第2スチーム発生板(142)の両側縁部に空気通路(127a, 127b)と連通するように形成されたスチーム排出孔(142a)を備える。また、給水手段は内部に水が貯蔵でき、貯蔵された水をスチーム発生板(141,142)に注入することができる水収容容器(160)を備える。
【００７４】
図9は着脱可能な水収容容器(160)が下側ケース(120)に結合した状態を示した底面図である。図10は水収容容器(160)が下側ケース(120)に収容される溝部(150)を示し、図11a及び図11bは水収容容器(160)の斜視図である。
【００７５】
図11a及び図11bを参照すると、水収容容器(160)はその内部に水を貯蔵することができるように構成されている。水収容容器(160)の上側には水注入口(163a)が形成されており、この水注入口(163a)を塞いで保護するように蓋(163)が提供されている。また、水収容容器(160)の上側後方には水収容容器(160)内部に貯蔵された水を排出させるためにポンピング作用が行える加圧部材(162)が提供されており、加圧部材(162)のポンピング作用により排出された水が噴出する噴出ノズル(161)が水収容容器(160)の前方に水収容容器(160)の上方に突出するように提供されている。また、水収容容器(160)にはその前方端部に水収容容器を溝部(150)に掛けるようにするフック(図示せず)が提供されており、その後方端部に水収容容器(160)の前後方運動を制限するための結合段(165)と水収容容器(160)が溝部(150)の外部に離脱しないようにする係止段(166)が提供されている。
【００７６】
図10を参照すると、水収容容器(160)が収容される溝部(150)は下側ケース(120)の表面から内部に凹んだ形状を有し、水収容容器(160)が適するように嵌められるように構成されている。溝部(150)の前方に水収容容器(160)のフック(164)が結合することができる係止具(154)が下側ケース(120)上に形成されている。また、溝部(150)の前方に水収容容器(160)の噴出ノズル(161)を収容するための連結口(151a)が形成されており、その後方には水収容容器(160)の加圧部材(162)に対応して加圧部材(162)を押入するための押圧段(152)が提供されている。また、溝部(150)の後方に水収容容器(160)の係止段(166)と結合して水収容容器(160)を溝部(150)内に完全に固定させるロックボタン(153)が下側ケース(120)上に提供されている。
【００７７】
従って、水収容容器(160)は溝部(150)内にその噴出ノズル(161)が連結口(151a)に嵌められ、その加圧部材(162)が押圧段(152)に接するように位置する。ここで、溝部(150)に形成された連結口(151a)と水収容容器(160)に提供された噴出ノズル(161)間を封止するための封止部材(151)が溝部の連結口(151a)と水収容容器の噴出ノズル(161)間に介在する。従って、水収容容器の噴出ノズル(161)は封止部材(151)を通じて溝部の連結口(151a)に結合する。
【００７８】
図12は下側ケース(120)と水収容容器(160)の結合状態を示した下側ケースの部分切開断面図で、水収容容器(160)の水が供給される状況を示す。
【００７９】
本実施の形態での水収容容器(160)では、水収容容器(160)を押さえる力によるポンピングにより内部に貯蔵された水が供給されるように構成されている。このようなポンピング作用は溝部(150)に設けられた押圧段(152)と水収容容器(160)に設けられた加圧部材(162)の相互作用によりなされる。
【００８０】
加圧部材(162)はシリコンまたはゴムのような材料からなり、外部圧力によりその形状が変化する順応性を有する。従って、図面に示された状態で、ユーザーが水収容容器(160)を溝部(150)側に押すと、その反作用により押圧段(152)が加圧部材(162)を押すようになる。押圧段(152)により押された加圧部材(162)はその順応性により水収容容器(160)内部に押入され、これにより水収容容器(160)の内部の圧力が上昇し、その結果、水収容容器(160)内部に貯蔵された水は噴出ノズル(161)を通じて排出されることができる。即ち、ユーザーが水収容容器(160)を溝部(150)側に徐々に押すとポンピング作用がなされ、この時、水収容容器(160)内部に貯蔵された所定量の水が噴出ノズル(161)を通じて排出されることができる。引き続き、ユーザーが水収容容器(160)に加える力を除去すると、加圧部材(162)の順応性により加圧部材(162)は元の状態に復帰し、水収容容器(160)は元の位置に戻る。
【００８１】
図12を参照すると、水収容容器(160)は溝部(150)とその前方より後方でさらに離隔されている傾いた状態に水を供給する準備ができている。これは押圧段(152)と加圧部材(162)が互いに接触しており、加圧部材(162)が元の状態に維持されているからである。この場合、噴出ノズル(161)と連結口(151a)間に介在した封止部材(151)も、シリコンまたはゴムからなり、水収容容器(160)の傾いた状態を可能にする。従って、封止部材(151)は連結口(151a)と噴出ノズル(161)間を封止する機能と水収容容器(160)を溝部(150)内に維持する機能を遂行する。
【００８２】
水収容容器(160)から排出された水は溝部に提供された水排出口(155)を抜け出した後、溝部(150)とスチーム発生板(141,142)を互いに連結する連結ホース(143)を通じてスチーム発生板(141,142)側に供給される。連結ホース(143)は第2スチーム発生板の注入口(142b)に接続されている。この場合、一度排出された水が水収容容器(160)が元の位置に戻る時、再び水収容容器(160)内部に逆流することを防止するために、チェックバルブのような逆流防止手段が提供されることが望ましい。
【００８３】
また、図12に示された状態はスチーム発生板(141,142)に水を供給するために水収容容器(160)を押さえるための状態を示したものである。水が全てなくなって水収容容器(160)を下側ケース(120)に固定しようとする場合には、水収容容器(160)を溝部(150)内に完全に押し入れた後、ロックボタン(153)を操作して水収容容器(160)の後方に提供された係止段(166)に結合させることによって水収容容器(160)は溝部(150)内に安着することができる。
【００８４】
図13は図12と類似した図面で、給水手段の変形例を示す。示された水収容容器(160')は下側ケース(120)に一体に結合している。水収容容器(160')は内部を加圧してポンピング作用を引き起こすための加圧部材(162')と、水注入口(163'a)と水注入口を塞ぐための蓋(163')を備える。加圧部材(162')はシリコンまたはゴムからなってユーザーにより押されると、水収容容器(160')内部に押入されてユーザーが力を抜くと元の状態に復帰する順応性を有し、ポンピング作用を行う。
【００８５】
また、水収容容器(160')の前方に加圧部材(162')のポンピング作用により水が排出されるための水排出口(161')が提供されており、その付近に排出された水の逆流を防止するためにチェックバルブのような逆流防止手段(169')が付設されている。ユーザーが加圧部材(162')を押すと水収容容器(160')内部の圧力が上昇し、これにより内部に貯蔵された水は水排出口(161')から排出された後、連結ホース(143)を通じてスチーム発生板(141,142)に供給される。
【００８６】
水収容容器(160)に貯蔵された水の供給を受けてスチームに変換するスチーム発生板(141,142)が図14に示されている。スチーム発生板(141,142)は下側ヒータプレート(121)と下側支持部材(122)間に配置され、下側ヒータプレート(121)の熱を利用して供給された水をスチームに変換させる。
【００８７】
スチーム発生板(141,142)は耐熱性があり、熱伝導率が高い2つの板、例えば第1スチーム発生板(141)と第2スチーム発生板(142)からなる。第1スチーム発生板(141)と第2スチーム発生板(142)の互いに向き合う表面の中央部分は互いに対向して凹に形成されて空洞(144)が限定され、供給された水はこの空洞(144)内に収容されてスチームに変換される。
【００８８】
空洞(144)で発生したスチームは第2スチーム発生板(142)の両側縁部に形成された多数のスチーム排出孔(142a)を通じて第2スチーム発生板(142)の外部に排出される。また、スチーム発生板(141,142)が結合する下側支持部材(122)の側壁にスチーム排出孔(142a)と空気通路(127a, 127b)を連通させるための連結孔(122c)がスチーム排出孔(142a)に対応するように形成されている。図7を再び参照すると、空洞(144)から発生したスチームは、スチーム排出孔(142a)と、連結孔(122c)と、空気通路(127a, 127b)と、空気排出孔(122b)とを通じて外部に排出されて毛髪に供給される。
【００８９】
このようにして、毛髪を所定形状にするためにヘアーアイロン(100)を用いて毛髪を処理する際に、ユーザーは必要に応じて毛髪にスチームを供給することができるので、毛髪処理がより容易に行われ、毛髪に保湿効果を与えて毛髪をより健康に維持することができる。
【００９０】
一方、本発明の望ましい第1の実施の形態によるヘアーアイロン(100)はヒータプレート(121)と下側支持部材(122)間に着脱可能に結合して空気排出孔(122b)を通じて出る空気の量を選択することができる風量調節手段(171,172)をさらに備える。
【００９１】
図15aは風量調節手段を示した斜視図であり、図15bは図15aのC-C線による断面図であり、図16aは風量調節手段の他の例を示した斜視図であり、図16bは図16aのD-D線による断面図である。
【００９２】
風量調節手段(171)は長い板状のバー(171a)と、ユーザーが挿入と除去のために掴むことができるようにバー(171a)の一端に設けられた取っ手突起(171b)と、下側支持部材の空気排出孔(122b)に対応するように形成された多数の空気排出口(171c)とを備える。この場合、空気排出口(171c)は空気排出孔(122b)の大きさより小さいようにいくつかの種類に形成することによって、ユーザーは空気排出孔(122b)を通じて出る空気の量を選択することができる。また、風量調節手段(172)は風量調節手段(171)の構成に加えて多数の櫛歯(172d)が付加されている。
【００９３】
このような構成の風量調節手段(171,172)は下側支持部材(122)と下側ヒータプレート(121)の同一な一側縁部または両側縁部に挿入されることができる。風量調節手段(171,172)を収容するために、下側支持部材(122)の一側または両側縁部に延長部(122a)から延びたフック形状の固定部(122e)が延長部(122a)に沿って形成されており、下側ヒータプレート(121)の縁部(121a)は固定部(122e)と対応して反対側で風量調節手段(171)を維持するように固定部(122e)側に若干突出している。従って、風量調節手段(171)は固定部(122e)と延長部(122a)の上側面と縁部(121a)に限定される一種の溝(122f)内に着脱される。
【００９４】
従って、ユーザーは毛髪処理時に風量調節手段(171,172)により提供される空気の量をより精密に選択することができる。特に、風量調節手段(172)を付着した場合、櫛歯(172d)により処理中の毛髪の造形性が向上される。ここで、風量調節手段(171,172)に形成された多数の空気排出口(171c, 172c)を通じてファン(134)により強制された空気、マイナスイオンまたはスチームなどが排出されるので、風量調節手段(171,172)の長さは空気排出口(171c, 172c)と空気排出孔(122b)が互いに整列できるように形成されることが望ましい。
【００９５】
第2の実施の形態．
図17は本発明の望ましい第2の実施の形態によるヘアーアイロンの斜視図で、図18は図17に示したヘアーアイロンの分解斜視図である。
【００９６】
本実施の形態によるヘアーアイロン(200)は、第1の実施の形態によるヘアーアイロン(100)と比較する時、無線で構成されて空間制約がなく常時携帯可能である。
【００９７】
ヘアーアイロン(200)は一端がヒンジ結合されて開閉可能な一対のケース(210,220)と、一対のケース(210,220)の他端付近で互いに対向する面にそれぞれ設けられたヒータプレート(211,221)と、一対のケースのうちいずれか一つ(220)の一端付近に結合し、ヒータプレート(221)側に空気を送風するためのファン組立体(230)と、ヒータプレート(211)とケース(210)間に設けられてヒータプレート(211)を支持するための支持部材(212)及びヒータプレート(221)とケース(220)間に設けられてヒータプレート(221)を支持して多数の空気排出孔(222d)が形成された支持部材(222)と、ファン組立体(230)から送風された空気を空気排出孔(222d)側に移送するための空気通路(226)を備える。ここで、ファン組立体(230)は下側ケース(220)だけでなく上側ケース(210)にも結合することができ、この場合、以下で説明される送風関連の各構成要素の配置はファン組立体(230)の位置に合せて変わることがある。
【００９８】
上側ケース(210)と下側ケース(220)の他端には毛髪処理のための熱を発生させるヒータプレート(211,221)がそれぞれのケース(210,220)に互いに向かい合うように一対に結合し、ヒータプレート(221)の周辺にはファン組立体(230)から送風される空気が排出される空気排出孔(222d)と風量調節手段(256)が配置される。また、上側ケース(210)の中間部分に、詳細には上側ケース(210)と上側カバー部材(213)間にヒータプレート(211,221)とファン組立体(230)に電力を供給するバッテリを収容したバッテリホルダ(240)が装着される。
【００９９】
また、ヒータプレート(211)が設けられる上側ケース(210)部分の幅はヒータプレート(221)が設けられる下側ケース(220)部分の幅より小さい。従って、空気排出孔(222d)から出る空気は円滑に排出されることができる。また、ヒータプレート(211,221)は互いに向かい合う面全体にかけて接触し、その接触面はヒータプレート(211,221)がケース(210,220)に長く設けられる方向を長手方向とする時、その幅方向に対して傾斜している。従って、ヒータプレート(211,221)の接触面積が大きくなり一度に処理される毛髪部分が増大する。
【０１００】
上側ケース(210)は下側ケース(220)に向かって開放された収納空間を有し、この収納空間にヒータプレート(211)、支持部材(212)、カバー部材(213)、PCB(214)、バッテリホルダ(240)などが収納され、下側ケース(220)と共に一対をなしながら軸(218)を中心に一定角度範囲内で開閉可能である。
【０１０１】
上側ケース(210)の他端の収納空間に下側ケース(220)のヒータプレート(221)と一対をなす上側ヒータプレート(211)が装着される。ヒータプレート(211)にはバッテリから電源の供給を受けて熱を発生するヒータが備えられている。前記ヒータは第1の実施の形態でのヒータと同一のヒータが使われることができる。
【０１０２】
上側ヒータプレート(211)と上側ケース(210)間にはヒータプレート(211)を上側ケース(210)の外部に一定高さだけ露出されるように支持するだけでなく、断熱機能を有する上側支持部材(212)が配置されている。
【０１０３】
上側ケース(210)の一端と上側支持部材(212)間には、バッテリホルダ(240)を収容するために下側ケース(220)側に凸に形成されて上側支持部材(212)により覆われない上側ケース(210)の内側収納空間を隠すための上側カバー部材(213)が配置されている。上側カバー部材(213)と上側ケース(210)間にバッテリホルダ(240)とPCB(214)が収容される。
【０１０４】
バッテリホルダ(240)にはヒータプレート(211,221)、送風ファン(図示せず)及びPCB(214)上に実装された各種部品に電力を供給するための少なくとも一つのバッテリ(図示せず)が収容される。図面には示されていないが、前記バッテリはヒータプレート、送風ファン及びPCBに実装された各種部品と電気的に接続されなければならないのは当然である。
【０１０５】
バッテリホルダ(240)内に収容されるバッテリとしては市場で入手可能な乾電池、または別個の充電機で充電されて収容できる充電池が採用され得る。また、図26に示された通り、上側ケース(210)の一端付近に外部電源と接続されることができるようにする連結ジャック(217)が備えられる場合、ヘアーアイロン(200)は外部のアダプタの出力端子が連結ジャック(217)に接続した状態で外部電源により駆動されることもでき、さらにバッテリホルダ(240)内に充電池が備えられれば、連結ジャック(217)を用いて充電池を充電させることができる。即ち、充電池を充電させるための充電回路はヘアーアイロン(200)の内部あるいは外部に構成されることもできる。
【０１０６】
PCB(214)にはヘアーアイロン(200)の作動を制御するための素子(図示せず)とスイッチ(214b)と作動状態を表示するためのLED(214a)などが実装されている。この時、PCB(214)はスイッチ(214b)とLED(214a)が上側ケース(210)に外部に露出されて外部で操作及び確認することができるように上側ケース(210)と上側カバー部材(213)に設けられる。
【０１０７】
上側ケース(210)の中間部分には上側ケース(210)と上側カバー部材(213)間に形成された空間にバッテリホルダ(240)を結合したり分離するための開口部(216)が形成されている。また、上側ケース(210)には開口部(216)を開閉するようにバッテリカバー(241)が結合しており、図面に示されてはいないが、上側ケース(210)にはバッテリカバー(241)が閉められた状態を維持することができる別個のロック装置が備えられることもできる。
【０１０８】
上側ケース(210)の一端には下側ケース(220)及びファン組立体(230)との結合のために板状の2つのヒンジ部(215)が下側ケース(220)側に延びている。また、ヒンジ部(215)にはオイルレスベアリング(219)が嵌められる貫通孔(215a)が同一の高さに形成されている。ヒンジ部(215)は上側ケース(210)の外側表面より内側に位置する。従って、上側ケース(210)と下側ケース(220)とファン組立体(230)が結合しても、ヘアーアイロン(200)の側面が大きく突出しない。
【０１０９】
ファン組立体(230)は吸気口(231a)が形成されたハウジング(231)と、ハウジング(231)内に設けられてモータを含む一つの独立した製品として構成された送風ファン(図示せず)を備える。ハウジング(231)の一側に上側ケースのヒンジ部(215)及び下側ケースのヒンジ部(224)と連結される軸支持部(232)が一体に形成されている。
【０１１０】
軸支持部(232)の中央には軸(218)が嵌められる貫通孔(232a)が形成されており、貫通孔(232a)付近にヒンジキャップ(225)のフック(225b)がかかる結合孔(232b)が形成されている。ここで、結合孔(232b)はヒンジ部(224)の貫通孔(224b)と一直線上に位置しなければならないのは当然である。
【０１１１】
軸支持部(232)間には軸(218)とオイルレスベアリング(219)の結合に妨害を与えずに送風された空気を案内して外部と遮断させるために案内板(233)が形成されている。従って、送風される空気が上側ケース(210)と下側ケース(220)、そしてファン組立体(230)間に形成された空間に漏出することが防止される。
【０１１２】
また、本実施の形態でのファン組立体(230)にも第1の実施の形態のファン組立体(130)でのマイナスイオン発生器が設けられることもできる。この場合、ヘアーアイロン(200)は毛髪処理時に損傷した毛髪を回復させて毛髪の保湿性を向上させて毛髪のパサつきを防止することができる。
【０１１３】
上側ケース(210)と一対をなし、上側ケース(210)及びファン組立体(230)と結合する下側ケース(220)は、図示された通り、上側ケース(210)に向かって開放された収納空間を有し、この収納空間内に下側ヒータプレート(221)、下側支持部材(222)及び下側カバー部材(223)が結合して送風された空気が通過する空気通路(226)が形成される。
【０１１４】
下側ケース(220)の一端には上側ケース(210)に向かって延びたヒンジ部(224)が形成されており、ヒンジ部(224)には軸(218)が嵌められる貫通孔(224a)と、その周辺にヒンジキャップ(225)のフック(225b)が通過する2つの貫通孔(224b)が形成されている。
【０１１５】
ファン組立体(230)の軸支持部(232)の外側に下側ケースのヒンジ部(224)が位置して上側ケース(210)のヒンジ部(215)にオイルレスベアリング(219)が嵌められた状態でヒンジ部(215)が軸支持部(232)間に位置した後、軸(218)が貫通孔(215a, 232a, 224a)を順に通過してオイルレスベアリング(219)と結合し、上側ケース(210)、下側ケース(220)及びファン組立体(230)は一体としてヘアーアイロン(200)を構成する。
【０１１６】
この場合、軸(218)はオイルレスベアリング(219)の内部に挿入可能な程度の直径を有する。また、軸(218)は結合後、離脱しないように一側にヒンジ部(224)の貫通孔(224a)より大きい直径を有するヘッド部(218a)と、他側にE状スナップリング(図示せず)などが嵌められることができる溝(218b)を有する。
【０１１７】
また、各ヒンジ部(224)の外側にはその中央に軸(218)のヘッド部(218a)とE状スナップリングを収容するためにヒンジ部(224)の表面より深く収容溝(224c)が形成されているので、軸(218)の結合に関係なしにヒンジ部(224)の外側面にヒンジキャップ(225)が密着結合することができる。特に、ヒンジキャップ(225)の内面にも軸(218)のヘッド部(218a)と、E状スナップリングを収容することができる収容溝(225a)が形成され、ヘアーアイロン(200)の幅が増大することを最小化することができる。
【０１１８】
前記のように貫通孔(215a, 232a, 224a)の直径が異なり、軸(218)とオイルレスベアリング(219)の直径と長さが異なるので、オイルレスベアリング(219)は貫通孔(215a)に結合し、軸(218)は貫通孔(224a, 232a)とオイルレスベアリング(219)に結合し、上側ケース(210)と下側ケース(220)は最小限の摩擦力で一定角度範囲内で開閉が可能である。
【０１１９】
下側ケース(220)の一端と下側支持部材(222)間に下側カバー部材(223)が結合している。下側カバー部材(223)は上側カバー部材(213)の凸な形状を収容することができるように下側ケース(220)側に凹んだ収容溝(223b)が形成されており、両側縁部には下側ケース(220)の内壁と協同して送風された空気が流動することができる空気通路(226)を限定するように延長部(223a)が縁部に沿って形成されている。延長部(223a)は下側カバー部材(223)が下側ケース(220)と結合する時、下側ケース(220)を実質的に閉塞するように形成される。
【０１２０】
ここで、本実施の形態では上下のカバー部材(213,223)が別個に備えられ、それぞれのケース(210,220)に結合するように構成されているが、カバー部材はケース(210,220)に一体に備えられることができ、この場合、空気通路がまた、これに合せて形成されることができる。
【０１２１】
上側ケース(210)と下側ケース(220)の閉じ状態を示した図19を参照すると、下側カバー部材(223)の収容溝(223b)に上側カバー部材(213)の下端部が収容されるのでヘアーアイロン(200)の全体高さが大きく増えない。
【０１２２】
下側ケース(220)の他端には毛髪を処理するための熱を発生させる下側ヒータプレート(221)を固定するための下側支持部材(222)が結合している。下側支持部材(222)の外壁が下側ケース(220)の内壁と離隔されて空気通路(226)の残りの部分が限定される。
【０１２３】
図20には前記で言及した空気通路(226)がより明確に示されている。ファン組立体(230)で送風された空気が通過する空気通路(226)は下側ケース(220)の内壁と下側カバー部材(223)の外壁によりその一部が形成され、引き続き下側ケース(220)の内壁と下側支持部材(222)の外壁によりその残りの部分が形成される。図20に示した矢印は、送風された空気の流動を示す。ファン組立体(230)により外部から吸い込まれて送風される空気はファン組立体(230)で排出された後、下側ケース(220)と下側カバー部材(223)間の空気通路部分と下側ケース(220)と下側支持部材(222)間の空気通路部分と下側支持部材(222)に形成された空気排出孔(222d)を通じてユーザーの毛髪や頭皮に伝達される。
【０１２４】
また、図20で明確に分かるように、本実施の形態によるヘアーアイロン(200)ではヒータプレート(211,221)と送風ファンを駆動させるための電源が上側ケース(210)のバッテリホルダ(240)に内蔵されたバッテリから自体供給されるので、ユーザーは空間的な制約なしにヘアーアイロン(200)を携帯しながら用いることができる。また、ヘアーアイロン(200)は毛髪処理のためにヒータプレート(211,221)からの熱とファン組立体(230)からの空気を選択的に供給するので、ユーザーは多様に毛髪を処理することができる。
【０１２５】
図21は図18に示した下側支持部材(222)と、下側ヒータプレート(221)と、これらの間に着脱可能に結合することができる風量調節手段の一例(256)の拡大斜視図である。
【０１２６】
下側支持部材(222)は長方形の板材の長辺側が2段に折り曲げられてなる形状を有する。詳細には、下側支持部材(222)の両側縁部は2段に折り曲げられた支持段(222a)が形成されており、これら支持段(222a)から外側に延長部(222b, 222c)が下側ケース(220)の内壁と当接するように延びている。それぞれの延長部(222b, 222c)には送風された空気が排出される多数の空気排出孔(222d)が形成されている。
【０１２７】
支持段(222a)と延長部(222b, 222c)の外面(222j)は下側支持部材(222)の内壁に対して凹むように形成されており、これは下側ケース(220)に下側支持部材(222)が結合した時、下側ケース(220)の内壁と下側支持部材(222)の外壁間に空気通路(226)が形成されるようにするためである。
【０１２８】
延長部(222b, 222c)の内面(222g)には下側ヒータプレート(221)の下側支持部材(222)との結合面上に形成されたレール形態の結合突起(221a)が嵌められる突出片(222h)が形成されている。従って、下側ヒータプレート(221)は下側ヒータプレート(221)の結合突起(221a)が支持段(222a)と突出片(222h)間に嵌められながら下側支持部材(222)上に維持される。
【０１２９】
ここで、下側支持部材(222)の底に形成された固定突起(222i)は下側支持部材(222)を下側ケース(220)に結合する時、下側支持部材(222)を固定するためである。
【０１３０】
また、下側支持部材(222)には下側支持部材(222)から排出される空気の量がユーザーの意思によって選択されることができるように構成されている。即ち、下側支持部材(222)にユーザーの望む風量を選択するのに役に立つ風量調節手段(251乃至256)が設けられることによって、空気排出孔(222d)以外で空気が排出されることができるようにして風量調節が可能なように構成されている。このため、下側支持部材(222)の延長部(222b)には風量調節手段(251乃至256)が嵌められることができる固定溝(222e)が形成されており、固定溝(222e)には空気通路を通じて送風されてきた空気が排出されるように追加の空気排出孔(222f)が形成されている。
【０１３１】
風量調節手段(251乃至256)がこの固定溝(222e)に嵌められて空気排出孔(222f)を閉鎖したり、一部を開放したり、または完全に開放することができる。その結果、下側支持部材(222)から送風される空気の量は空気排出孔(222d)を通じて排出される空気の量を最小にしてユーザーの意思によって増大することができる。固定溝(222e)は必要に応じて反対側延長部(222c)にも形成できるのは当然である。
【０１３２】
図22に示された通り、下側ケース(220)の内壁と下側支持部材(222)の外壁により形成された空気通路(226)を通じて送風された空気は下側支持部材(222)の空気排出孔(222d)を通じて外部に排出されると同時に、固定溝(222e)の空気排出孔(222f)と固定溝(222e)に結合した風量調節手段(256)に形成された空気排出口(256c)を通じて外部に排出される。
【０１３３】
また、本発明は空気通路(226)または空気排出孔(222d)に別個の開閉手段を具備させることによって下側支持部材(222)の両側に形成された空気排出孔(222d)のうち一つあるいは全てから空気が排出されるように構成されることもできる。
【０１３４】
図23a乃至図23fは風量調節手段のいくつかの例を示した斜視図で、図24は風量調節手段の結合及び除去を示した斜視図であり、図25a乃至25fは図23a乃至図23fにそれぞれ対応する断面図で、送風された空気の流動方向が矢印で示されている。
【０１３５】
図23aを参照すると、風量調節手段(251)は長い板状のバー(251a)と、バー(251a)の一側に設けられた取っ手突起(251b)とを備える。このような風量調節手段(251)は図24に示された通り、下側支持部材(222)の固定溝(222e)に嵌められる。ユーザーはグリップ突起(251b)を掴んで風量調節手段(251)を固定溝(222e)内に挿入したり除去することができる。従って、バー(251a)の幅は固定溝(222e)の幅と同一に形成されるのが望ましい。また、下側ヒータプレート(221)の下側支持部材(222)上に安着する側(221b)は固定溝(222e)側に若干延びており、これによって風量調節手段(251)の固定溝(222e)内の安着がより保障されることができる。バーと取っ手突起は以下に記述される風量調節手段(252乃至256)に共通する構成要素である。
【０１３６】
風量調節手段(251)のバー(251a)部分が固定溝(222e)内に嵌められると固定溝(222e)の空気排出孔(222f)は完全に閉鎖される。図25aに示された通り、送風された空気は空気排出孔(222d)を通じてだけ排出されるので、下側支持部材(222)を通じて排出される空気の量は空気排出孔(222d)を通じて排出される量に限定される。従って、ユーザーはヒータプレート(221)から発生した熱と空気排出孔(222d)を通じて排出される空気のみを利用することができる。
【０１３７】
図23bを参照すると、風量調節手段(252)は長い板状のバー(252a)と、バー(252a)の一側に設けられた取っ手突起(252b)と、空気排出孔(222f)と連通する空気排出口(252c)とを備える。望ましくは、空気排出口(252c)は固定溝(222e)の空気排出孔(222f)と同一の大きさに、また、風量調節手段(252)が固定溝(222e)に挿入された時、空気排出孔(222f)と完全に整列されるように形成されている。従って、風量調節手段(252)が固定溝(222e)に嵌められると、空気通路(226)を通じて送風された空気は空気排出孔(222d)と空気排出口(252c)を通じて外部に排出される。この場合、下側支持部材(222)で排出される 空気の量は最大になる。
【０１３８】
図23cを参照すると、風量調節手段(253)は長い板状のバー(253a)と、バー(253a)の一側に設けられた取っ手突起(253b)と、空気排出孔(222f)と連通する空気排出口(252c)とを備える。空気排出口(253c)は空気排出孔(222f)より小さい大きさで多数形成されている。従って、風量調節手段(253)が固定溝(222e)に挿入されると、空気通路(226)を通じて送風された空気は空気排出孔(222d)と空気排出口(253c)を通じて外部に排出される。この場合、空気排出口(253c)間のバー(253a)部分により空気排出孔(222f)の一部が閉鎖されるので、下側支持部材(222)で排出される 空気の量は風量調節手段(252)を採用した場合より減少する。
【０１３９】
図23dを参照すると、風量調節手段(254)は風量調節手段(251)の形態にバー(254a)に沿って形成された多数の櫛歯(254d)をさらに備える。風量調節手段(254)が固定溝(222e)に挿入されると、風量調節手段(251)の機能だけでなく櫛歯(254d)によって毛髪処理時に毛髪の造形性が増大されることができる。
【０１４０】
図23eを参照すると、風量調節手段(255)は風量調節手段(252)の形態にバー(255a)に沿って形成された多数の櫛歯(255d)をさらに備える。風量調節手段(255)が固定溝(222e)に挿入されると、下側支持部材(222)から排出される空気の量が最大になるだけでなく、毛髪処理時に毛髪の造形性が増大されることができる。
【０１４１】
図23fを参照すると、風量調節手段(256)は風量調節手段(253)の形態にバー(256a)に沿って形成された多数の櫛歯(256d)をさらに備える。風量調節手段(256)を固定溝(222e)に挿入すると、空気排出口(256c)を通じて空気排出孔(222f)の一部が閉鎖されるので、下側支持部材(222)で排出される風量は風量調節手段(255)を採用した場合より減少する。
【０１４２】
一方、本実施の形態によるヘアーアイロン(200)では、空気排出孔(222d)を通じて排出される風量を基本とし、風量調節手段(251乃至256)を通じてユーザーの望む風量を選択することができるように構成されているが、本実施の形態によるヘアーアイロン(200)がこれに限定されるものではない。第1の実施の形態によるヘアーアイロン(100)のように送風ファンの回転速度を制御したり、空気通路(226)を開閉することで排出される空気の量を調節することもできることが理解できる。
【０１４３】
また、前記で例示した風量調節手段以外に、空気排出口の大きさ及び個数を多様に選択して設計した風量調節手段を採用することによって、下側支持部材(222)から排出される空気の量は多様に選択されることができることが理解できる。
【０１４４】
本発明は前記の実施の形態に限定されず、特許請求範囲で請求する本発明の要旨を逸脱することなしに当該発明の属する分野で通常の知識を有する者であれば誰でも多様な変形が可能である。
【図面の簡単な説明】
【０１４５】
【図１】本発明の望ましい第1の実施の形態によるヘアーアイロンの斜視図である。
【図２】図1に示したヘアーアイロンの分解斜視図である。
【図３】図1に示したヘアーアイロンの他の分解斜視図である。
【図４】ファン組立体の分解斜視図である。
【図５】下側カバー部材が除去されたヘアーアイロンの下側ケースの平面図である。
【図６】図5のA-A線による断面図である。
【図７】図5のB-B線による断面図である。
【図８ａ】空気通路開閉手段を示したヘアーアイロンの部分斜視図である。
【図８ｂ】図8aの部分拡大斜視図である。
【図９】図1のヘアーアイロンの底面図である。
【図１０】水収容容器が除去された下側ケースの部分斜視図である。
【図１１ａ】水収容容器の斜視図である。
【図１１ｂ】水収容容器の他の斜視図である。
【図１２】水収容容器が結合した下側ケースの部分切開断面図である。
【図１３】給水手段の変形例の構成を示した下側ケースの部分切開断面図である。
【図１４】水分提供手段と下側支持部材を示した斜視図である。
【図１５ａ】風量調節手段を示した斜視図である。
【図１５ｂ】図15aのC-C線による断面図である。
【図１６ａ】風量調節手段の他の例を示した斜視図である。
【図１６ｂ】図16aのD-D線による断面図である。
【図１７】本発明の望ましい第2の実施の形態によるヘアーアイロンの斜視図である。
【図１８】図17のヘアーアイロンの分解斜視図である。
【図１９】図17に示した上側ケースと下側ケースの結合状態を示した断面図である。
【図２０】図17のヘアーアイロンの縦断面図である。
【図２１】図18に示した支持部材とヒータプレートと風量調節手段の拡大斜視図である。
【図２２】図17に示したヘアーアイロンの結合状態を示した断面図である。
【図２３ａ】風量調節手段の例を示した斜視図である。
【図２３ｂ】風量調節手段の他の例を示した斜視図である。
【図２３ｃ】風量調節手段の他の例を示した斜視図である。
【図２３ｄ】風量調節手段の他の例を示した斜視図である。
【図２３ｅ】風量調節手段の他の例を示した斜視図である。
【図２３ｆ】風量調節手段の他の例を示した斜視図である。
【図２４】風量調節手段の結合及び除去を示した斜視図である。
【図２５ａ】図23aに対応する空気流動を示した断面図である。
【図２５ｂ】図23bに対応する空気流動を示した断面図である。
【図２５ｃ】図23cに対応する空気流動を示した断面図である。
【図２５ｄ】図23dに対応する空気流動を示した断面図である。
【図２５ｅ】図23eに対応する空気流動を示した断面図である。
【図２５ｆ】図23fに対応する空気流動を示した断面図である。
【図２６】連結ジャックを示した図17に示したヘアーアイロンの斜視図である。
【符号の説明】
【０１４６】
100:ヘアーアイロン          110:上側ケース
111:上側ヒータプレート      112:上側支持部材
113:上側カバー部材          114:PCB
120:下側ケース              121:下側ヒータプレート
122:下側支持部材            123:下側カバー部材
124:空気通路開閉手段        127a, 127b:空気通路
130:ファン組立体            131,132:ファン組立体ハウジング
134:ファン                  135:マイナスイオン発生器
141,142:スチーム発生板      150:溝部
151:封止部材                152:押圧段
160:水収容容器              161:噴出ノズル
162:加圧部材                163:蓋
171,172:風量調節手段
【図１】
2006130314.tif 000003
【図２】
2006130314.tif 000004
【図３】
2006130314.tif 000005
【図４】
2006130314.tif 000006
【図５】
2006130314.tif 000007
【図６】
2006130314.tif 000008
【図７】
2006130314.tif 000009
【図８ａ】
2006130314.tif 000010
【図８ｂ】
2006130314.tif 000011
【図９】
2006130314.tif 000012
【図１０】
2006130314.tif 000013
【図１１ａ】
2006130314.tif 000014
【図１１ｂ】
2006130314.tif 000015
【図１２】
2006130314.tif 000016
【図１３】
2006130314.tif 000017
【図１４】
2006130314.tif 000018
【図１５ａ】
2006130314.tif 000019
【図１５ｂ】
2006130314.tif 000020
【図１６ａ】
2006130314.tif 000021
【図１６ｂ】
2006130314.tif 000022
【図１７】
2006130314.tif 000023
【図１８】
2006130314.tif 000024
【図１９】
2006130314.tif 000025
【図２０】
2006130314.tif 000026
【図２１】
2006130314.tif 000027
【図２２】
2006130314.tif 000028
【図２３ａ】
2006130314.tif 000029
【図２３ｂ】
2006130314.tif 000030
【図２３ｃ】
2006130314.tif 000031
【図２３ｄ】
2006130314.tif 000032
【図２３ｅ】
2006130314.tif 000033
【図２３ｆ】
2006130314.tif 000034
【図２４】
2006130314.tif 000035
【図２５ａ】
2006130314.tif 000036
【図２５ｂ】
2006130314.tif 000037
【図２５ｃ】
2006130314.tif 000038
【図２５ｄ】
2006130314.tif 000039
【図２５ｅ】
2006130314.tif 000040
【図２５ｆ】
2006130314.tif 000041
【図２６】
2006130314.tif 000042